(57)【要約】      （修正有）【課題】円柱、四角柱、三角柱等径と縦寸法が異なる飲料の入ったカップや、缶や、ボトル等の飲料容器を上方の円形空間から下方空間に向けて入れ置くと自重により安定して保持するカップホルダーを提供する。【解決手段】当該カップホルダー１００は、カップホルダー部品７０を２個一対でカップホルダー１００の円形内周を囲むように６個３対で構成されている。カップホルダー部品７０は、底面保持部７１から上方に向けて延ばして飲料容器の側面を押して支えるように側面保持部７５と、底面保持部７１の底面設置部７２を設けてある。カップホルダー部品７０保持するために底面保持部７１の両端に凸部を設けて、カップホルダー底面部９０に固着されて設けた突部保持部に凸部の両端は保持され、カップホルダー部品７０は設けたカップホルダーリング８０に傾斜して支えられる。カップホルダーリング８０は３方向に設けた支柱８１で支えられる。【選択図】図１
0003170996.tif 000002
【実用新案登録請求の範囲】
【請求項１】
円柱、四角柱、三角柱等径と縦寸法が異なる飲料の入ったカップや、缶や、ボトル等の飲料容器を上方の円形空間（５１）から下方に向けて入れ置くと自重により安定して保持するカップホルダーであって、当該カップホルダー（１００）は、カップホルダー部品（７０）を２個一対で、カップホルダー底面部（９０）の円形の内周辺を囲むように３対６個を設けて、カップホルダー部品（７０）は、飲料容器を受け止め底面保持部（７１）と、底面保持部（７１）から上方に延ばして飲料容器の側面を押して支えるよう側面保持部（７５）の先端部に側面保持面（７６）と、底面保持部（７１）の先端部に底面設置部（７２）を設けて、底面保持部（７１）の先端部上方の底面保持面（７４）と、側面保持部（７５）の側面保持面（７６）の先端部は弾力性のある部材を固着して設けて、底面保持部（７１）の両端は、カップホルダー部品（７０）を保持するために凸部（７３）を設けて、カップホルダー底面部（９０）に固着されて設けた突部保持部（９１）に凸部（７３）の両端は保持され設けて、突部保持部（９１）に保持されたカップホルダー部品（７０）は、飲料容器を引き抜いて自重がなくなるとカップホルダー部品（７０）の姿勢は上方に開いて傾斜して、カップホルダー部品（７０）の傾斜姿勢を保つためにカップホルダー（１００）と同じ円形外周のカップホルダーリング（８０）を３方向の支柱（８１）で固着して設けて、カップホルダー（１００）の保護のために上方に円形空間（６１）を設けた外カバー（６０）を設けてもよいことを特徴とするカップホルダー。
【考案の詳細な説明】
【技術分野】
【０００１】  本考案は、飲料の入ったカップや、缶や、ボトルの飲料容器の径の大小に拘わらず飲料容器をカップホルダーに入れると飲料容器の自重により飲料容器を安定して保持できるカップホルダーに関する。
【背景技術】
【０００２】  様々なカップホルダーの提案がある。カップや缶やボトルの飲料容器の径の大小に対して、当該容器を入れるカップホルダーに多用な保持機構の提案がある。多くの保持機構は、缶やボトルの飲料容器の径に応じて水平方向の凸の突起の長さを変更して押し付け調整している。
小さいボトル、大きいボトルに関する垂直方向に対応しては深さの調整として小さいボトルに対応して当該容器を入れるカップホルダーの途中に仕切りがある。大きいボトルは、カップホルダーの途中の仕切りを元に戻す。水平方向の保持と、垂直方向の保持に仕掛けがあるほど機構は複雑で効果はあるが使用する側は意外と面倒なものである（例えば、特開２０１０−８２３号）。
【先行技術文献】
【特許文献】
【０００３】
【特許文献１】特開２０１０−８２３号公報
【考案の概要】
【考案が解決しようとする課題】
【０００４】  上記記載の発明は、缶やボトルの飲料容器の径に応じて水平方向に凸の突起を押し付ける仕掛けがある。小さいボトル、大きいボトルに関する垂直方向に対応しては深さ調整として小さいボトルに対応して当該容器を入れるカップホルダーの途中に仕切りが行なえる仕掛けがある。効果はあっても使用する側は意外と面倒なものである。
本考案は、円柱、四角柱、三角柱等径と縦寸法が異なる飲料の入ったカップや、缶や、ボトル等の飲料容器をカップホルダーに入れ置くだけでカップや缶やボトルの径の大小に拘わらす飲料容器の自重により安定して保持してくれるカップホルダーを提供することを目的とする。
【課題を解決するための手段】
【０００５】  円柱、四角柱、三角柱等径と縦寸法が異なる飲料の入ったカップや、缶や、ボトル等の飲料容器を上方の円形空間５１から下方に向けて入れ置くと自重により安定して保持するカップホルダーであって、当該カップホルダー１００は、カップホルダー部品７０を２個一対で、カップホルダー底面部９０の円形の内周辺を囲むように３対６個を設けて構成されている。
カップホルダー部品７０は、円柱、四角柱、三角柱等径と縦寸法が異なる飲料の入ったカップや、缶や、ボトル等の飲料容器を受け止める底面保持部７１と、底面保持部７１から上方に延ばして飲料容器の側面を押して支えるよう側面保持部７５の先端部に側面保持面７６と、底面保持部７１先端部に底面設置部７２を設けてある。
底面保持部７１の先端部上方の底面保持面７４と、側面保持部７５の側面保持面７６の先端部は弾力性のある部材を固着して設けてある。
底面保持部７１の両端は、カップホルダー部品７０を保持するために凸部７３を設けてある。
カップホルダー底面部９０に固着して設けた突部保持部９１に凸部７３の両端は保持され設けてある。
突部保持部９１に保持されたカップホルダー部品７０は、飲料容器を引き抜いて自重がなくなるとカップホルダー部品７０の姿勢は上方に開いて傾斜する。カップホルダー部品７０の傾斜姿勢を保つためにカップホルダー１００と同じ円形外周のカップホルダーリング８０を３方向の支柱８１で固着して設けてある。
カップホルダー１００の保護のために上方に円形空間６１を設けた外カバー６０を設けてもよいカップホルダー１００である。
【考案の効果】
【０００６】  円柱、四角柱、三角柱等径と縦寸法が異なる飲料の入ったカップや、缶や、ボトル等の飲料容器を上方の円形空間５１から下方に向けて入れ置くと自重により安定して保持するカップホルダーであって、当該カップホルダー１００は、カップホルダー部品７０を２個一対で、カップホルダー底面部９０の円形の内周辺を囲むように３対６個を設けて構成されている。
カップホルダー部品７０は、円柱、四角柱、三角柱等径と縦寸法が異なる飲料の入ったカップや、缶や、ボトル等の飲料容器を受け止め底面保持部７１と、底面保持部７１から上方に延ばして飲料容器の側面を押して支えるよう側面保持部７５の先端部に側面保持面７６と、底面保持部７１先端部に底面設置部７２を設けてある。
底面保持部７１の先端部上方の底面保持面７４と、側面保持部７５の側面保持面７６の先端部は弾力性のある部材を固着して設けてある。
底面保持部７１の両端は、カップホルダー部品７０を保持するために凸部７３を設けてある。
カップホルダー底面部９０に固着されて設けた突部保持部９１に凸部７３の両端は保持され設けてある。
突部保持部９１に保持されたカップホルダー部品７０は、飲料容器を引き抜いて自重がなくなるとカップホルダー部品７０の姿勢は上方に開いて傾斜する。カップホルダー部品７０の傾斜姿勢を保つためにカップホルダー１００と同じ円形外周のカップホルダーリング８０を３方向の支柱８１で固着して設けてある。
カップホルダー１００の保護のために上方に円形空間６１を設けた外カバー６０を設けてもよいカップホルダー１００であるので、円柱、四角柱、三角柱等径と縦寸法異なる飲料の入ったカップや、缶や、ボトル等の飲料容器をカップホルダーに入れ置くだけでカップや缶やボトルの径の大小に拘わらす飲料容器の自重により安定して保持してくれるカップホルダーである。カップホルダー部品は２個一対で、カップホルダー底面部の円形内周を囲んで６個３対で構成されている。空のカップホルダー部品の姿勢は、上方の円形空間を広く大きい口を広げて飲料容器の入るのを待つ状況を保っている。円柱、四角柱、三角柱等径と縦寸法が異なる飲料の入ったカップや、缶や、ボトル等の飲料容器を入れると自重で各カップホルダー部品が各対で内角に向けて傾き押すので中心にある飲料容器は安定して保持される仕掛けのカップホルダーである。
飲料容器を引き抜くと自重がなくなるのでカップホルダー部品の姿勢は上方に傾斜する。自動車の運転において飲料容器を抜き差しするとき、飲料容器の抜き差しに操作機能がないので運転に専念すればよい優れものである。
カップホルダーは、外カバーを設けないで使用することもよい、それは、飲料容器を引き抜くと自重がなくなるのでカップホルダー部品の姿勢は上方が開き傾斜する仕掛けであるのでカップホルダー部品の動作を見て楽しむことも出来る。
【図面の簡単な説明】
【０００７】
【図１】本考案のカップホルダーの実施例を示す斜視図である。
【図２】図１の平面図を示す図である。
【図３】図１のカップホルダー部品の実施例を示す側面図である。
【図４】図３のカップホルダー部品の実施例を示す斜視図である。
【図５】図４の突起保持部の実施例を示す斜視図である。
【図６】図３の側面保持部の形状を変えた実施例を示す側面図である。
【図７】図１に外カバーの実施例を示す斜視図である。
【図８】図７と図１を模式図で示した斜視図である。
【図９】図３のカップホルダーの空状態を示した模式図である。
【図１０】図３のカップホルダーの保持状態を示した模式図である。
【考案を実施するための形態】
【０００８】  本考案は円柱、四角柱、三角柱等径と縦寸法が異なる飲料の入ったカップや、缶や、ボトル等の飲料容器をカップホルダーに入れ置くだけでカップや缶やボトルの径の大小に拘わらす飲料容器の自重により安定して保持してくれるカップホルダーである。
径の大小に拘わらなく飲料容器を保持するために、カップホルダーのサイズを調査すると概略以下の状況であった。
アルミニュウム製２ピース缶では外形Φ５３ｍｍ〜Φ６６ｍｍ、高さ９１，６ｍｍ〜１６６．７ｍｍであった。飲料容量は１６０ｍｌ〜５００ｍｌ程度である。
紙コップ・プラスチックコップ３オンス〜１８オンスまで保持可能とするサイズは３オンスでは、外径Φ５６ｍｍで、高さ５４ｍｍである。１８オンスでは、外径Φ８８ｍｍ〜Φ８９ｍｍで、高さ１３３ｍｍ〜１４０ｍｍである。飲料容量は９０ｍｌ〜５４０ｍｌ程度である。
また、市販されている缶・瓶・ＰＥＴの各ボトル円形飲料容器では、２００ｍｌのＰＥＴボトルで外径Φ５４ｍｍで、高さ１３６ｍｍである。５３１ｍｌでは、ＰＥＴボトルで外径Φ６８ｍｍで、高さ２０５．６ｍｍである。
そこで、上記の飲料容器を全て保持するカップホルダーのサイズを以下のように特定した。例えば飲料容器の外径Φ４０ｍｍ〜外径Φ９０ｍｍまでと、高さ最小５０ｍｍが保持できるようカップホルダーを設ければよい。カップホルダーを設置する箇所に固定できれば市販されている上記記載の飲料容器であれば高さ上限の必要がなく保持できる。カップホルダーは、錆びが発生しにくいこと、飲料容器を押して保持する応力を必要とするのでステンレス材を用いた。樹脂材とか竹材等を用いることも良い。
以下、図面に示す実施するための形態により本考案を説明する。
【実施例】
【０００９】  以下、図１ないし図１０に従って本考案の一実施例を説明する。
図１は、本考案のカップホルダーの実施例を示す斜視図である。
円柱、四角柱、三角柱等径と縦寸法が異なる飲料の入ったカップや、缶や、ボトル等の飲料容器を上方の点線が示す円形空間５１（５１は説明の点線です。商品には、ありません）から下方に向けて入れ置くと自重により安定して保持するカップホルダーであって、当該カップホルダー１００は、カップホルダー部品７０を２個一対で、カップホルダー１００の円形の内周辺を囲むように６個３対で構成されている。カップホルダー１００の全体形状は１１０ｍｍ×１１０ｍｍ×高さ５０ｍｍの形状である。
点線５２は説明の点線であって商品にはありません（点線５２の径はΦ１１０ｍｍある）。
高さ５０ｍｍはカップホルダー部品７０が飲料容器の自重で飲料容器を保持するときの高さである。
飲料容器を引き抜いて自重がなくなるとカップホルダー部品７０の姿勢は上方に開いて傾斜する。カップホルダー部品７０の傾斜姿勢を保つためにカップホルダー１００と同じ円形外周のカップホルダーリング８０を３方向の支柱８１で固着して設けてある。
カップホルダー１００の外周を保護する上方の円形空間６１を設けた外カバー６０を設けてもよいカップホルダー１００である。カップホルダー１００の飲料容器の受け入れサイズを示す上方の点線で示す円形空間５１の径はΦ９０ｍｍで高さは５０ｍｍである。飲料の入った飲料容器を入れると底面保持部７１が飲料容器の自重によりカップホルダー部品７０の側面保持部７５の側面保持７６で飲料容器の面を押して支えるので安定に保持される。カップホルダー部品７０は、図３と図４で詳細に説明する。【００１０】  図２は、図１の平面図を示す図である。
図２は、本考案のカップホルダー１００の各部品の配置を平面で示した平面図である。
カップホルダー１００は、カップホルダー底面部９０を基板としてカップホルダー部品７０を２個一対で、カップホルダー１００の円形の内周辺を囲むように３対６個で構成されている。カップホルダー底面部９０に固着されて設けた突部保持部９１にカップホルダー部品７０の凸部７３の両端は保持されている。
カップホルダー１００の飲料容器の受け入れサイズを示す上方の点線５１（５１は説明の点線です。商品には、ありません）で示す円形空間の径はΦ９０ｍｍである。飲料容器を受け止めるのはカップホルダー部品７０の底面保持部７１である。底面保持部７１の底面保持面７４が飲料容器の自重で押されると、カップホルダー部品７０の上方先端に設けた側面保持部７５の側面保持面７６が飲料容器の各面を押して支えるので安定して保持される。高さ５０ｍｍは、カップホルダー底面部９０から側面保持面７６の一番高い箇所である。カップホルダー１００を設置する箇所に固定すると市販されている飲料容器は保持できる。【００１１】  図３は、図１のカップホルダー部品の実施例を示す側面図である。
図３は、カップホルダー部品７０の側面図である。カップホルダー部品７０は、円柱、四角柱、三角柱等径と縦寸法が異なる飲料の入ったカップや、缶や、ボトル等の飲料容器を受け止める底面保持部７１の底面保持７４と、底面保持部７１から上方に延ばして飲料容器の側面を押して支える側面保持部７５、底面保持部７１の先端部に底面設置部７２を設けてある。
底面保持部７１の先端部上方に底面保持面７４と、側面保持部７５に側面保持面７６の先端部は弾力性のある部材を固着して設けてある。
底面保持部７１の両端は、カップホルダー部品７０を保持するために凸部７３を設けてある。カップホルダー底面部９０に固着されて設けた突部保持部９１に凸部７３の両端は保持され設けてある。突部保持部９１に保持されたカップホルダー部品７０は、飲料容器を引き抜いて自重がなくなるとカップホルダー部品７０の姿勢は上方に開いて傾斜する。カップホルダー部品７０の傾斜姿勢である円形空間５１を保つためにカップホルダー１００と同じ円形外周のカップホルダーリング８０を３方向の支柱８１で固着して設けてある。【００１２】  図４は、図３のカップホルダー部品の実施例を示す斜視図である。
図４は、カップホルダー部品７０の斜視図である。カップホルダー部品７０は、円柱、四角柱、三角柱等径と縦寸法が異なる飲料の入ったカップや、缶や、ボトル等の飲料容器を受け止める底面保持部７１と、底面保持部７１から上方に曲げて延ばして飲料容器の側面を押して支えるように曲げた側面保持部７５と、底面保持部７１の先端部に曲げて底面設置部７２を設けてある。
底面保持部７１の両端は、カップホルダー部品７０を保持するために凸部７３を設けてある。カップホルダー底面部９０に固着されて設けた突部保持部９１に凸部７３の両端は保持され設けてある。突部保持部９１に保持されたカップホルダー部品７０は、飲料容器を引き抜いて自重がなくなるとカップホルダー部品７０の姿勢は上方に開いて傾斜する。カップホルダー部品７０の傾斜姿勢である円形空間５１を保つためにカップホルダー１００と同じ円形外周のカップホルダーリング８０を３方向の支柱８１で固着して設けてある。
底面保持部７１の先端部上方の底面保持面７４と、側面保持部７５の側面保持面７６の先端部は弾力性のある部材を固着して設けてある。【００１３】  図５は、図４の突起保持部の実施例を示す斜視図である。
図５は、図４の突起保持部の斜視図である。
カップホルダー１００は、カップホルダー部品７０を２個一対で、カップホルダー底面部９０の円形の内周辺を囲むように３対６個の形態で設けるので、カップホルダー部品７０を保持する突部保持部９１を固着して設けてある。
突部保持部９１に保持されたカップホルダー部品７０は、飲料容器を引き抜いて自重がなくなるとカップホルダー部品７０の姿勢は上方に開いて傾斜する。カップホルダー部品７０の傾斜姿勢である円形空間５１を保つためにカップホルダー１００と同じ円形外周のカップホルダーリング８０を３方向の支柱８１で固着して設けてある。【００１４】  図７は、図１に外カバーの実施例を示す斜視図である。
図７は、外カバーを示す斜視図である。
カップホルダー１００の保護のために上方に円形空間６１を設けた外カバー６０を設けたカップホルダー１００である。外カバー６０の内部の底と、カップホルダー底面部９０の内部の底は固着して外カバー６０を設置する箇所に固定する。
カップホルダー１００は、外カバー６０を設けないで使用することもある。それは、飲料容器を引き抜くと自重がなくなるのでカップホルダー部品の姿勢は上方か開き傾斜する仕掛けであるのでカップホルダー部品の動作を見て楽しむことも出来る。【００１５】  図８は、図７と、図１を模式図で示した斜視図である。
図は、外形を立方体の形状としたが円柱の形状でもよい。
カップホルダー１００と外カバー６０を模式図で示した斜視図である。
カップホルダー１００と外カバー６０の状態を理解して頂くために透けて見える斜視図とした。
カップホルダー１００の保護のために上方に円形空間６１を設けた外カバー６０を設けた。
カップホルダー１００の円形空間５１と、外カバー６０の円形空間６１の寸法は同一とした。高さもカップホルダーが外カバーの中に入ればよいので概略同じ寸法とした。高さは誤差のない方がよい。【００１６】  図６は、図３の側面保持部を円形とした実施例を示す側面図である。
図６は、図３の側面保持部の先端部形状を一体型で円形として設けた。
カップホルダー１００に使用する側面保持部７５と側面保持部７６の先端部形状を側面保持部７７の一体型円形に設けたカップホルダー部品であって、カップホルダー部品の符号を７８として設けた。
カップホルダー部品７８の側面図である。カップホルダー部品７８は、円柱、四角柱、三角柱等径と縦寸法が異なる飲料の入ったカップや、缶や、ボトル等の飲料容器を受け止める底面保持部７１と、底面保持部７１から上方に延ばして飲料容器の側面を押して支えるように側面保持部７７と、底面保持部７１の先端部に底面設置部７２を設けてある。
底面保持部７１の両端は、カップホルダー部品７８を保持するために凸部７３を設けてある。カップホルダー底面部９０に固着されて設けた突部保持部９１に凸部７３の両端は保持され設けてある。突部保持部９１に保持されたカップホルダー部品７８は、飲料容器を引き抜いて自重がなくなるとカップホルダー部品７８の姿勢は上方に開いて傾斜する。カップホルダー部品７８の傾斜姿勢である円形空間５１を保つためにカップホルダー１００と同じ円形外周のカップホルダーリング８０を３方向の支柱８１で固着して設けてある。底面保持部７１の先端部上方の底面保持７４は弾力性のある部材を固着して設けてある。カップホルダー部品７０と７８の何れかをカップホルダー１００に使用できる。保持力の均一性が求められるので混在して使用しない。【００１７】  ［図９］図３のカップホルダー部品の空状態を示した模式図である。
飲料容器をカップホルダー１００に入れる前のカップホルダー部品７０の２個一対の状態（飲料容器を引き抜いたときと同様な状態にある）を模式図で説明する。
図面中央の長方形は飲料容器であって、飲料容器をカップホルダー１００に入れる前の状態、あるいは、飲料容器をカップホルダー１００より引き抜いた状態の２個一対よりなるカップホルダー部品７０は模式図の示すようになる。底面保持部７１の底面保持面７４に飲料容器の自重がなくなるとカップホルダー部品７０の姿勢は上方に開いて傾斜する。カップホルダー部品７０の傾斜姿勢である円形空間５１を保つためにカップホルダー１００と同じ円形外周のカップホルダーリング８０を３方向の支柱８１で固着して設けてある。
カップホルダー部品７０の側面図である。カップホルダー部品７０は、円柱、四角柱、三角柱等径と縦寸法が異なる飲料の入ったカップや、缶や、ボトル等の飲料容器を受け止める底面保持部７１の底面保持７４と、底面保持部７１から上方に延ばして飲料容器の側面を押して支える側面保持部７５と、底面保持部７１の先端部に底面設置部７２を設けてある。
底面保持部７１の先端部上方に底面保持面７４と、側面保持部７５に側面保持面７６の先端部は弾力性のある部材を固着して設けてある。
底面保持部７１の両端は、カップホルダー部品７０を保持するために凸部７３を設けてある。カップホルダー底面部９０に固着されて設けた突部保持部９１に凸部７３の両端は保持され設けてある。突部保持部９１に保持されたカップホルダー部品７０は、飲料容器を引き抜いて自重がなくなるとカップホルダー部品７０の姿勢は上方に開いて傾斜する。カップホルダー部品７０の傾斜姿勢である円形空間５１を保つためにカップホルダー１００と同じ円形外周のカップホルダーリング８０を３方向の支柱８１で固着して設けてある。【００１８】  ［図１０］図３のカップホルダー部品の保持状態を示した模式図である。
飲料容器をカップホルダー１００に入れたときのカップホルダー部品７０の２個一対の状態を模式図で説明する。
図面中央の長方形は飲料容器であって、飲料容器をカップホルダー１００に入れると２個一対のホルダー部品７０は模式図に示すようになる。底面保持部７１の底面保持面７４に飲料容器の自重で円形空間５１が閉じて飲料容器の側面をカップホルダー部品７０の側面保持部７５の側面保持面７６が押して支える。底面保持部７１の先端部上方に底面保持面７４と、側面保持部７５に側面保持面７６の先端部は弾力性のある部材を固着して設けてある。
カップホルダー部品７０の側面図である。カップホルダー部品７０は、円柱、四角柱、三角柱等径と縦寸法が異なる飲料の入ったカップや、缶や、ボトル等の飲料容器を受け止める底面保持部７１の底面保持７４と、底面保持部７１から上方に延ばして飲料容器の側面を押して支える側面保持部７５と、底面保持部７１の先端部に底面設置部７２を設けてある。
底面保持部７１の先端部上方に底面保持面７４と、側面保持部７５に側面保持面７６の先端部は弾力性のある部材を固着して設けてある。
底面保持部７１の両端は、カップホルダー部品７０を保持するために凸部７３を設けてある。カップホルダー底面部９０に固着されて設けた突部保持部９１に凸部７３の両端は保持され設けてある。突部保持部９１に保持されたカップホルダー部品７０は、飲料容器を引き抜いて自重がなくなるとカップホルダー部品７０の姿勢は上方に開いて傾斜する。カップホルダー部品７０の傾斜姿勢である円形空間５１を保つためにカップホルダー１００と同じ円形外周のカップホルダーリング８０を３方向の支柱８１で固着して設けてある。
【産業上の利用可能性】
【００１９】  車両・船舶・航空機他等に使用する当該カップホルダーを製造・販売する企業。
【符号の説明】
【００２０】  ５１  円形空間
６０  外カバー
６１  円形空間
７０  カップホルダー部品
７１  底面保持部
７２  底面設置部
７３  凸部
７４  底面保持面
７５  側面保持部
７６  側面保持面
７７  側面保持部
７８  カップホルダー部品（先端円形）
８０  カップホルダーリング
８１  支柱
９０  カップホルダー底面部
９１  突部保持部
１００  カップホルダー
【図１】
0003170996.tif 000003
【図２】
0003170996.tif 000004
【図３】
0003170996.tif 000005
【図４】
0003170996.tif 000006
【図５】
0003170996.tif 000007
【図６】
0003170996.tif 000008
【図７】
0003170996.tif 000009
【図８】
0003170996.tif 000010
【図９】
0003170996.tif 000011
【図１０】
0003170996.tif 000012
【手続補正書】
【提出日】平成23年7月25日(2011.7.25)
【手続補正１】
【補正対象書類名】実用新案登録請求の範囲
【補正対象項目名】請求項１
【補正方法】変更
【補正の内容】
【請求項１】
円柱、四角柱、三角柱等径と縦寸法が異なる飲料の入ったカップや、缶や、ボトル等の飲料容器を上方の円形空間（５１）から下方に向けて入れ置くと自重により安定して保持するカップホルダーであって、当該カップホルダー（１００）は、カップホルダー部品（７０）を２個一対で、カップホルダー底面部（９０）の円形の内周辺を囲むように３対６個を設けて、カップホルダー部品（７０）は、飲料容器を受け止め底面保持部（７１）と、底面保持部（７１）から上方に延ばして飲料容器の側面を押して支えるよう側面保持部（７５）の先端部に側面保持面（７６）と、底面保持部（７１）の先端部に底面設置部（７２）を設けて、底面保持部（７１）の先端部上方の底面保持面（７４）と、側面保持部（７５）の側面保持面（７６）の先端部は弾力性のある部材を固着して設けて、底面保持部（７１）の両端は、カップホルダー部品（７０）を保持するために凸部（７３）を設けて、カップホルダー底面部（９０）に固着されて設けた突部保持部（９１）に凸部（７３）の両端は保持され設けて、突部保持部（９１）に保持されたカップホルダー部品（７０）は、飲料容器を引き抜いて自重がなくなるとカップホルダー部品（７０）の姿勢は上方に開いて傾斜して、カップホルダー部品（７０）の傾斜姿勢を保つためにカップホルダー（１００）と同じ円形外周のカップホルダーリング（８０）を３方向の支柱（８１）で固着して設けて、カップホルダー（１００）の保護のために上方に円形空間（６１）を設けた外カバー（６０）を設けたことを特徴とするカップホルダー。
【手続補正２】
【補正対象書類名】明細書
【補正対象項目名】０００５
【補正方法】変更
【補正の内容】
【０００５】円柱、四角柱、三角柱等径と縦寸法が異なる飲料の入ったカップや、缶や、ボトル等の飲料容器を上方の円形空間５１から下方に向けて入れ置くと自重により安定して保持するカップホルダーであって、当該カップホルダー１００は、カップホルダー部品７０を２個一対で、カップホルダー底面部９０の円形の内周辺を囲むように３対６個を設けて構成されている。
カップホルダー部品７０は、円柱、四角柱、三角柱等径と縦寸法が異なる飲料の入ったカップや、缶や、ボトル等の飲料容器を受け止める底面保持部７１と、底面保持部７１から上方に延ばして飲料容器の側面を押して支えるよう側面保持部７５の先端部に側面保持面７６と、底面保持部７１先端部に底面設置部７２を設けてある。
底面保持部７１の先端部上方の底面保持面７４と、側面保持部７５の側面保持面７６の先端部は弾力性のある部材を固着して設けてある。
底面保持部７１の両端は、カップホルダー部品７０を保持するために凸部７３を設けてある。
カップホルダー底面部９０に固着して設けた突部保持部９１に凸部７３の両端は保持され設けてある。
突部保持部９１に保持されたカップホルダー部品７０は、飲料容器を引き抜いて自重がなくなるとカップホルダー部品７０の姿勢は上方に開いて傾斜する。カップホルダー部品７０の傾斜姿勢を保つためにカップホルダー１００と同じ円形外周のカップホルダーリング８０を３方向の支柱８１で固着して設けてある。
カップホルダー１００の保護のために上方に円形空間６１を設けた外カバー６０を設けたカップホルダー１００である。
【手続補正３】
【補正対象書類名】明細書
【補正対象項目名】０００６
【補正方法】変更
【補正の内容】
【０００６】円柱、四角柱、三角柱等径と縦寸法が異なる飲料の入ったカップや、缶や、ボトル等の飲料容器を上方の円形空間５１から下方に向けて入れ置くと自重により安定して保持するカップホルダーであって、当該カップホルダー１００は、カップホルダー部品７０を２個一対で、カップホルダー底面部９０の円形の内周辺を囲むように３対６個を設けて構成されている。
カップホルダー部品７０は、円柱、四角柱、三角柱等径と縦寸法が異なる飲料の入ったカップや、缶や、ボトル等の飲料容器を受け止め底面保持部７１と、底面保持部７１から上方に延ばして飲料容器の側面を押して支えるよう側面保持部７５の先端部に側面保持面７６と、底面保持部７１先端部に底面設置部７２を設けてある。
底面保持部７１の先端部上方の底面保持面７４と、側面保持部７５の側面保持面７６の先端部は弾力性のある部材を固着して設けてある。
底面保持部７１の両端は、カップホルダー部品７０を保持するために凸部７３を設けてある。
カップホルダー底面部９０に固着されて設けた突部保持部９１に凸部７３の両端は保持され設けてある。
突部保持部９１に保持されたカップホルダー部品７０は、飲料容器を引き抜いて自重がなくなるとカップホルダー部品７０の姿勢は上方に開いて傾斜する。カップホルダー部品７０の傾斜姿勢を保つためにカップホルダー１００と同じ円形外周のカップホルダーリング８０を３方向の支柱８１で固着して設けてある。
カップホルダー１００の保護のために上方に円形空間６１を設けた外カバー６０を設けたカップホルダー１００であるので、円柱、四角柱、三角柱等径と縦寸法異なる飲料の入ったカップや、缶や、ボトル等の飲料容器をカップホルダーに入れ置くだけでカップや缶やボトルの径の大小に拘わらす飲料容器の自重により安定して保持してくれるカップホルダーである。カップホルダー部品は２個一対で、カップホルダー底面部の円形内周を囲んで６個３対で構成されている。空のカップホルダー部品の姿勢は、上方の円形空間を広く大きい口を広げて飲料容器の入るのを待つ状況を保っている。円柱、四角柱、三角柱等径と縦寸法が異なる飲料の入ったカップや、缶や、ボトル等の飲料容器を入れると自重で各カップホルダー部品が各対で内角に向けて傾き押すので中心にある飲料容器は安定して保持される仕掛けのカップホルダーである。
飲料容器を引き抜くと自重がなくなるのでカップホルダー部品の姿勢は上方に傾斜する。
自動車の運転において飲料容器を抜き差しするとき、飲料容器の抜き差しに操作機能がないので運転に専念すればよい優れものである。
【手続補正４】
【補正対象書類名】明細書
【補正対象項目名】００１４
【補正方法】変更
【補正の内容】
【００１４】図７は、図１に外カバーの実施例を示す斜視図である。図７は、外カバーを示す斜視図である。
カップホルダー１００の保護のために上方に円形空間６１を設けた外カバー６０を設けたカップホルダー１００である。外カバー６０の内部の底と、カップホルダー底面部９０の内部の底は固着して外カバー６０を設置する箇所に固定する。